(57)【要約】【課題】  本発明は収納袋に於いて開口部を結束する場合別の結束用具を用いていた。又、安全衛生面に注意しなければならない物、或いは、汚くて素手で直接つかめない物を収納袋に入れる場合、収納袋の外側をつかみ開口部をひっくり返し、内側を外に出し手でつかんでいたが、綺麗に処理できず、特に汚物でやわらかいものは、指先に感じる嫌な感触を与えているため、袋の内側につかみ爪を設け素手で直接つかまないようにし、又、収納袋の開口側に切込みを入れ結束紐を作り袋と一体化させた収納袋を提供する。【解決手段】  収納袋の開口側に沿って適巾適長さの切込みをいれ結束紐を設ける。又、収納袋の内面につかみ爪を設けたことを特徴とする収納袋。【選択図】図１
2006341926.tif 000002
【特許請求の範囲】
【請求項１】
収納袋の開口側に沿って適巾適長さの切込みを入れ結束紐を設けた収納袋。
【請求項２】
収納袋の内面につかみ爪を設けてなる請求項１記載の収納袋。
【発明の詳細な説明】
【技術分野】
【０００１】  本発明は収納袋において、開口部を結束する場合別の結束用具を用いたり、又、安全衛生面に注意しなければならない物、或いは汚くて素手で直接つかめない物を収納する場合は、収納袋の外側をつかみ、開口部をひっくり返し内側を外に出し、手でつかんでいたが綺麗に処理できず、又、動物の「ウンチ」のようなやわらかく、生温かい物は指先に感じる嫌な感触や悪臭を与えている。そこで、収納袋の開口側に適巾適長さの切り込みを入れ、結束紐を作り、収納袋を一体化させ、又、収納袋の内側につかみ爪を設け、直接手でつかまないようにした収納袋に関するものである。
【背景技術】
【０００２】  従来、収納袋に於いて開口部の口をふさぐには別の結束用具によって行われていた。又、収納袋に安全衛生面に注意しなければならない物、或いは動物の汚物のような直接素手でつかめない物を入れるには、小型スコップ、手袋、はさみ式道具を使用しているが、いずれも収納袋と一体化していない。
【発明の開示】
【発明が解決しようとする課題】
【０００３】    そのために次のような問題があった。
（イ）除去後収納袋に入れ、そのままだと安全衛生面に注意しなければならない物や、汚くて嫌な臭いがもれる物は別の結束用具で閉じられなければならない。従って、収納袋の他に結束用具が必要となる。
（ロ）除去用道具を使用する場合は使用後清潔のために道具を洗浄する必要がある。
（ハ）汚物等は収納の外側をつかみ、開口部をひっくり返し内側を外に出し、手で直接つかんでいるが綺麗に除去できず、又、やわらかい物はつかみにくく、動物の「ウンチ」のような物は、生温かい「グニュ」とした嫌な感触が指先に伝わる。
（ニ）現状の収納袋は結束用具及び収納袋へ入れる道具が別体である。
（ホ）汚物等の収納袋は現状に於いて各々が家にあるさまざまな袋を使用しており、焼却処分時に発生する有毒ガスでの環境破壊のことは全く考えていない。
本発明は、これらの問題点を解決するためになされたものである。
【課題を解決するための手段】
【０００４】    今その構成を説明すると、
収納袋１の開口側５に沿って適巾適長さの切り込み３を入れ、結束紐４を設けた収納袋１の内側底６の適位置に大きく口を開けられるよう折り癖８を設けたつかみ爪２を取付部７に取付けた収納袋１。これらの全ての材質は、燃焼時有毒ガスが全く発生しない材料を使用し、環境破壊防止に役立てる。
本発明は以上の構成より成る収納袋１である。
【発明の効果】
【０００５】  結束紐４は収納袋１の開口側５に沿って適巾適長さの切り込み３を入れ作っており、収納袋１と一体化しているので、別に結束用具を持つ必要がなく、結束すれば袋の中の悪臭もなく、清潔であり、先端は環帯状になっているため、指を差込んで持てば楽に持ち運びでき、引っ掛けることが可能なので整理が容易な収納袋１である。又、安全衛生面に注意しなければならない物９、或いは、汚くて手で直接さわれないも物９を清潔で綺麗につかみ取るためにつかみ爪２を収納袋１の内面底６側取付部７に取り付ける。このつかみ爪２を介して行うのでつかんだ時の手に感じる嫌な感触は全くなく、つかみ爪２が小型スコップと同じような役目をし綺麗に掻き取る事が出来る。収納袋１は結束紐４と一体になっており、又、つかみ爪２を取付けても薄い小さなハンカチを四つ折りにした大きさより小さく、厚さも２ｍｍ前後になり、非常に小さく軽く収まり、ポケットの中或いは、ハンドバッグの中と違和感なく何処でも入れられる。特にペットの汚物のような物９を処理したい時は、処理道具となるつかみ爪２が収納袋１の中に汚物と一緒に入っており、開口側５は、収納袋１と一体化されている結束紐４で結束し、袋内の悪臭を断ったまま燃えるごみとして処分できる。地域によっては汚物は家庭用トイレに処理し、収納袋１は燃えるごみと分別している地域もあるが、分別する場合も収納袋１の環帯状の結束紐４を解いて中の汚物をトイレに廃棄処分出来、又、つかみ爪２と収納袋１及び結束紐４は一体となっているので、そのまま燃えるごみとして処分できる。いずれも燃焼時に発生する有毒ガスは発生しない材質のため環境破壊の恐れは全くない。又、中の見えない収納袋１にすれば、ペットの散歩中にぶら下げながら歩いていても、他の人に全く不快感を与えることなく、むしろ汚物を放置せず自分で処理して清潔にしているんだと、マナーの良さに好感を与え、大手を振って散歩でき、散歩が苦痛にならず楽しくなり、精神的、衛生的、肉体的に良い効果が得られる。
【発明を実施するための最良の形態】
【０００６】    以下、本発明の形態を説明する。
（イ）収納袋１の開口側５に沿って適巾適長さの切り込み３を入れ結束紐４を作る。この場合完全に切り落としてしまうと収納袋１と切り離されてしまい別に結束紐用紐を持たなければならなくなってしまう。そこで、適当な強度のある巾と部位まで切り込み３を入れることによって、収納袋１と一体となっている結束紐４が出来上がる。
（ロ）収納袋１の内面、底６側適位置に折り癖８を設けた、つかみ爪２を取付部７に取付ける。
（ハ）つかみ爪２に設けている折り癖８は、つかむ物９がつかみ易いよう大きく口を開けることが出来るために設けている。
（ニ）全ての材質は焼却処分時に発生する有毒ガスが出ない材質を使用する。
本発明は以上のような構成からなるので、本発明を使用する時は以下の順序で行う。
（１）収納袋１のみで使用する場合は、開口側５に結束紐４が一体となって設けられているので、物９を収納後、結束紐４で開口部を結束する。結束しても残りの先は環帯状を形成しており、指に引っ掛けて持ち運びが出来、又、引っ掛けることが出来るので、整理が容易である。
（２）安全衛生面に注意しなければならない物９、或いは汚くて直接手で触れない物９を綺麗に清潔で収納する場合は、収納袋１の開口側５に沿って作られた結束紐４を下側にし、収納袋１の内面底６側に取付けられたつかみ爪２を外側から親指とその他の指でつかむ。
（３）反対の手で収納袋１の開口側５を広げ、内面に取り付けられたつかみ爪２の先がわずか外に出るように収納袋１の内面を外側にひっくり返す。
（４）つかみ爪２の先が外に出ているので反対の手でつかみ爪２の先端を広げ、拳骨握りを作り、つかみ爪２の広がりに押し込み、更に少し回転させ、つかみ爪２を目一杯大きく開く。
（５）つかみ爪２には折り癖８を設けているので、この折り癖８と底６が一直線になるまで拳骨を少しずつ回転させ押し込むと収納袋１を持っている手の親指とその他の指でカタカナのコの字を作る。そのままの形を維持し、大きく開いたつかみ爪２によって物９をつかむ。
（６）つかみ爪２は物９をつかんだまま、先程の収納袋１の内面が外にひっくり返されているので、内面は内面になるよう、またひっくり返して元に戻す。これで物９は収納袋１に収納完了である。
（７）収納袋１を持っている手は、開口側５を束ね、もう一方の手で収納袋１の開口側５に作られた結束紐４を使って悪臭や汚い物９がもれないように結束をする。
（８）持ち運びがし易いよう、結束紐４で結束しても、残りの紐は環帯状になっているので、その輪に指を入れて持ち運ぶ。
【図面の簡単な説明】
【０００７】
【図１】収納袋につかみ爪を取付けた状態の平面図
【図２】収納袋のみの平面図
【図３】収納袋につかみ爪を取付けた状態の中間断面図
【図４】つかみ爪を取付けた収納袋を持った状態の斜視図
【図５】つかみ爪を取付けた収納袋を持って開口部をひっくり返した状態の斜視図
【図６】つかみ爪を広げた状態の断面図
【図７】つかみ爪を広げた状態の斜視図
【図８】つかみ爪で物をつかもうとしている状態の斜視図
【図９】つかみ爪を取付けた収納袋へ物を入れ結束紐で結束した状態の斜視図
【図１０】収納袋に物を入れ結束紐で結束した状態の斜視図
【符号の説明】
【０００８】  １  収納袋
２  つかみ爪
３  切り込み
４  結束紐
５  開口側
６  底
７  取付部
８  折り癖
９  物
【図１】
2006341926.tif 000003
【図２】
2006341926.tif 000004
【図３】
2006341926.tif 000005
【図４】
2006341926.tif 000006
【図５】
2006341926.tif 000007
【図６】
2006341926.tif 000008
【図７】
2006341926.tif 000009
【図８】
2006341926.tif 000010
【図９】
2006341926.tif 000011
【図１０】
2006341926.tif 000012